(57)【特許請求の範囲】
【請求項１】
異なる種類の複数の事務機器が接続可能なエアー処理装置本体と、
前記事務機器内のエアーを前記エアー処理装置本体内に受け入れ可能に前記事務機器と前記エアー処理装置本体とを接続する吸引エアーインターフェイスと、
前記エアー処理装置本体に設けられ、前記吸引エアーインターフェイスを介して前記エアー処理装置本体内に受け入れたエアーに処理を施すエアー処理手段と、
前記事務機器から前記エアー処理装置本体内に吸引されるエアーの流量を調節する吸引流量調節手段と、を備え、
前記吸引流量調節手段が、前記エアー処理装置本体に接続された事務機器に応じた流量となるように吸引されるエアーの流量を調節する、
ことを特徴とするエアー処理装置。
【請求項２】
異なる種類の複数の事務機器が接続可能なエアー処理装置本体と、
前記事務機器内のエアーを前記エアー処理装置本体内に受け入れ可能に前記事務機器と前記エアー処理装置本体とを接続する吸引エアーインターフェイスと、
前記エアー処理装置本体に設けられ、前記吸引エアーインターフェイスを介して前記エアー処理装置本体内に受け入れたエアーに処理を施すエアー処理手段と、
前記エアー処理装置本体で処理されたエアーを前記事務機器内に供給可能に前記事務機器と前記エアー処理装置本体とを接続する供給エアーインターフェイスと、
前記事務機器から前記エアー処理装置本体内に供給されるエアーの流量を調節する供給流量調節手段と、を備え、
前記供給流量調節手段が、前記エアー処理装置本体に接続された事務機器に応じた流量となるように供給するエアーの流量を調節する、
ことを特徴とするエアー処理装置。
【請求項３】
前記エアー処理手段が、塵埃を除去する集塵フィルタ、オゾンを除去するオゾン除去フィルタ、臭いを除去する脱臭フィルタの内、少なくとも１つを備えていることを特徴とする請求項１又は２に記載のエアー処理装置。
【請求項４】
前記エアー処理手段がエアーの熱を放出する放熱手段を備えていることを特徴とする請求項１乃至３のいずれか１項に記載のエアー処理装置。
【請求項５】
前記エアー処理装置本体に接続された事務機器と前記エアー処理装置本体との間に設けられ、前記エアー処理装置本体に接続された事務機器と前記エアー処理装置本体との電気信号の授受を行う電気信号インターフェイスを備えたことを特徴とする請求項１乃至４のいずれか１項に記載のエアー処理装置。
【請求項６】
前記事務機器内のエアーを、前記吸引エアーインターフェイスを通して前記エアー処理装置本体内に吸引する吸引手段を備えたことを特徴とする請求項１乃至５のいずれか１項に記載のエアー処理装置。
【請求項７】
前記吸引手段によって前記事務機器から吸引されるエアーの流量を検知する吸引流量検知手段を備え、
前記吸引手段が、前記吸引流量検知手段による検知に基づいてエアーの流量が所定の流量となるように調節することを特徴とする請求項６に記載のエアー処理装置。
【請求項８】
前記吸引手段によって前記事務機器から吸引されるエアーの流量を検知する吸引流量検知手段を備え、
前記吸引エアーインターフェイスが、エアーが通過する吸引口と、前記吸引口の開口量を調節する吸引開口量調節手段と、を有し、
前記吸引開口量調節手段が、前記吸引流量検知手段による検知に基づいて、エアーの流量が所定の流量となるように前記吸引口の開口量を調節することを特徴とする請求項６に記載のエアー処理装置。
【請求項９】
前記エアー処理装置本体で処理されたエアーを、前記供給エアーインターフェイスを通して前記事務機器内に供給する供給手段を備えたことを特徴とする請求項２乃至８のいずれか１項に記載のエアー処理装置。
【請求項１０】
前記供給手段によって前記事務機器内に供給されるエアーの流量を検知する供給流量検知手段を備え、
前記供給手段が、前記供給流量検知手段による検知に基づいて、エアーの流量が所定の流量となるよう調節することを特徴とする請求項９に記載のエアー処理装置。
【請求項１１】
前記供給手段によって前記事務機器内に供給されるエアーの流量を検知する供給流量検知手段を備え、
前記供給エアーインターフェイスが、エアーが通過する供給口と、前記供給口の開口量を調節する供給開口量調節手段と、を有し、
前記供給開口量調節手段が、前記供給流量検知手段による検知に基づいて、エアーの流量が所定の流量となるように前記供給口の開口量を調節することを特徴とする請求項９に記載のエアー処理装置。
【請求項１２】
前記事務機器として、画像読取装置、画像形成装置、記録紙給送装置、記録紙搬送装置、シート処理装置、及び情報入出力装置の少なくとも２つの装置を選択的に接続可能なことを特徴とする請求項１乃至１１のいずれか１項に記載のエアー処理装置。
【請求項１３】
請求項１乃至１２のいずれか１項に記載のエアー処理装置と、
前記事務機器として前記エアー処理装置本体に接続され、記録紙に画像を形成する複数の画像形成装置と、を有することを特徴とする画像形成システム。
【請求項１４】
請求項１乃至１２のいずれか１項に記載のエアー処理装置と、
記録紙を給送する記録紙給送装置と、前記記録紙給送装置によって給送された記録紙を搬送する第１の記録紙搬送装置と、前記第１の記録紙搬送装置によって搬送された記録紙に画像を形成する画像形成装置と、前記画像形成装置によって画像が形成された記録紙を搬送する第２の記録紙搬送装置と、前記第２の記録紙搬送装置によって搬送された記録紙に処理を施すシート処理装置と、を有し、
前記画像形成装置の一方の側に前記第１の記録紙搬送装置を介して前記記録紙給送装置が配設され、かつ前記画像形成装置の他方の側に前記第２の記録紙搬送装置を介して前記シート処理装置が配設されて、
前記第１の記録紙搬送装置、前記画像形成装置、前記第２の記録紙搬送装置、及び前記シート処理装置のうちの少なくとも２つの装置が、前記事務機器として、該少なくとも２つの装置の背後で前記エアー処理装置本体と接続していることを特徴とする画像形成システム。
【請求項１５】
前記第１の記録紙搬送装置と前記第２の記録紙搬送装置との間で、前記画像形成装置の上方に設けられ、前記第１の記録紙搬送装置によって搬送された記録紙に画像を形成し画像を形成した記録紙を前記第２の記録紙搬送装置に送るための、第２の画像形成装置を有し、前記第２の画像形成装置は前記事務機器として前記エアー処理装置本体に接続されることを特徴とする請求項１４に記載の画像形成システム。
【発明の詳細な説明】
【技術分野】
【０００１】
本発明は、事務機器内のエアーを受け入れて塵埃、オゾン、臭い、熱等を除去するエアー処理装置および、画像形成装置とエアー処理装置を有する画像形成システムに関する。
【背景技術】
【０００２】
従来、事務機器の一種である画像形成装置には、装置内のエアー（空気）を排気して、外部からエアーを浄化しながら吸引し、装置内の環境を最適な状態に保持するようになっているタイプのものがある（特許文献１，２）。
【０００３】
なお、画像形成装置は、シートに画像を形成するようになっている。また、事務機器には、画像形成装置の他に、画像読取装置、記録紙給送装置、記録紙搬送装置、シート処理装置、及び情報入出力装置などがある。画像読取装置は、原稿を読み取るようになっている。記録紙給送装置は、画像形成装置やシート処理装置に記録紙（シート）を送り込むようになっている。記録紙搬送装置は、記録紙をある装置（例えば、記録紙給送装置）から、他の装置（例えば、画像形成装置）に搬送するようになっている。シート処理装置は、シートやシート束に孔をあけたり、シート束を閉じたり、シートやシート束を折り曲げたりする処理の少なくとも１つの処理をするようになっている。情報入出力装置には、大型のイメージスキャナーやドキュメントサーバ等がある。
【０００４】
特許文献１に記載の画像形成装置を図１０に示す。この画像形成装置５０１は、装置内で発生するオゾンを処理するオゾンフィルタ５０２と排気ファン５０３とを熱定着装置５０４の上部に備えて、装置内のエアーのオゾンを除去して、エアーを排出するようになっている。
【０００５】
特許文献２に記載の画像形成装置を図１１に示す。この画像形成装置５１１は、装置外の空気（エアー）を集塵用コロナ帯電器５１２、及びフィルタ５１３を介して一次帯電用コロナ帯電器５１４に導き、一次帯電用コロナ帯電器５１４を清浄化するようになっている。
【０００６】
また、画像形成装置以外にも、例えば、大型のイメージスキャナーやドキュメントサーバ等、オフィスで使用される様々な情報入出力装置において、冷却のための装置内への吸気や機外への排気が行われている。
【０００７】
【特許文献１】特開２００３−１４０５１４号公報
【特許文献２】特開平１０−１８６８１３号公報
【発明の開示】
【発明が解決しようとする課題】
【０００８】
このように、現在、オフィスで使用される画像形成装置や様々な情報入出力装置を始めとする事務機器は、個々に排気、吸気等、装置内と装置外との間で、エアーの授受を行うようになっている。
【０００９】
また、特許文献１，２に記載の画像形成装置は、排気の処理や吸気の浄化等を、個々の装置で個別に独立して行っている。このため、例えば、排気処理に用いられるフィルタ等は、個々の装置でそれぞれにメンテナンスを行う必要があり、複数台の事務機器を備えているオフィスにおいては、これらの事務機器のメンテナンス作業が煩雑になるという問題があった。
【００１０】
本発明は、複数の事務機器内におけるエアーの処理を一括して行うエアー処理装置を提供することを目的としている。
【課題を解決するための手段】
【００１１】
本発明のエアー処理装置は、異なる種類の複数の事務機器が接続可能なエアー処理装置本体と、前記事務機器内のエアーを前記エアー処理装置本体内に受け入れ可能に前記事務機器と前記エアー処理装置本体とを接続する吸引エアーインターフェイスと、前記エアー処理装置本体に設けられ、前記吸引エアーインターフェイスを介して前記エアー処理装置本体内に受け入れたエアーに処理を施すエアー処理手段と、前記事務機器から前記エアー処理装置本体内に吸引されるエアーの流量を調節する吸引流量調節手段と、を備え、前記吸引流量調節手段が、前記エアー処理装置本体に接続された事務機器に応じた流量となるように吸引されるエアーの流量を調節する、ことを特徴としている。
本発明のエアー処理装置は、異なる種類の複数の事務機器が接続可能なエアー処理装置本体と、前記事務機器内のエアーを前記エアー処理装置本体内に受け入れ可能に前記事務機器と前記エアー処理装置本体とを接続する吸引エアーインターフェイスと、前記エアー処理装置本体に設けられ、前記吸引エアーインターフェイスを介して前記エアー処理装置本体内に受け入れたエアーに処理を施すエアー処理手段と、前記エアー処理装置本体で処理されたエアーを前記事務機器内に供給可能に前記事務機器と前記エアー処理装置本体とを接続する供給エアーインターフェイスと、前記事務機器から前記エアー処理装置本体内に供給されるエアーの流量を調節する供給流量調節手段と、を備え、前記供給流量調節手段が、前記エアー処理装置本体に接続された事務機器に応じた流量となるように供給するエアーの流量を調節する、ことを特徴としている。
【発明の効果】
【００１２】
本発明のエアー処理装置は、異なる種類の複数の事務機器内のエアーを、吸引エアーインターフェイスを通じてエアー処理装置本体内に受け入れて、エアー処理手段によってエアー処理を行うようになっているので、異なる種類の複数の事務機器内のエアー処理を一括して行うことができて、エアー処理手段のメンテナンスが容易になるという効果を奏する。また、吸引流量調節手段によって、接続された事務機器に応じた最適なエアー流量に調節することができる。さらに、オフィスの快適性を向上させることができる。
本発明のエアー処理装置は、供給流量調節手段によって、接続された事務機器に応じた最適な供給エアー流量に調節することができる。
【発明を実施するための最良の形態】
【００１３】
以下、本発明の実施形態のエアー処理装置を図に基づいて説明する。
【００１４】
図１乃至図４に示す第１実施形態のエアー処理装置１８０と、図５乃至図７に示す第２実施形態のエアー処理装置２８０は、複数の事務機器内のエアーを一括して清浄にしてから排気するようになっている。また、図８、図９に示す第３実施形態のエアー処理装置３８０は、複数の事務機器内のエアーを一括して浄化処理、放熱処理してから、再度、事務機器内に送り込んで、エアーを循環使用するようになっている。
【００１５】
なお、事務機器は、各実施形態のエアー処理装置に接続される共通の装置であるので、エアー処理装置１８０，２８０，３８０の説明の前に一括して説明しておく。
【００１６】
事務機器には、画像読取装置５３、画像形成装置としてのカラープリンタ５１及び白黒プリンタ５２、記録紙給送装置としてのペーパデッキ７３，７４、記録紙搬送装置としてのサイドパネル１０３，１０４、シート処理装置としての後処理装置７２、及び不図示の情報入出力装置などがある。これらの装置の内部構造の説明は、省略する。
【００１７】
図１、図５、図８に示す画像読取装置５３は、原稿を高速で読み取るようになっている。図１、図５、図８に示すカラープリンタ５１は、電子写真方式でシートにカラートナーによってカラー画像を形成するようになっている。白黒プリンタ５２も、電子写真方式でシートに黒トナーによってモノクロ画像を高速で形成するようになっている。カラープリンタ５１と白黒プリンタ５２は、画像読取装置５３からの画像読取信号、あるいはパソコンや他のプリンタなどの他の情報機器から送られてくる画像信号に基づいて、シートにトナー像を形成するようになっている。
【００１８】
図１に示すペーパデッキ７３，７４は、サイズの異なるシートを収納しており、オペレータが外部指示によって選択したシート（記録紙）をカラープリンタ５１と白黒プリンタ５２とにサイドパネル１０３を介して選択的に送るようになっている。なお、ペーパデッキ７３，７４は、サイドパネル１０３を介さずにカラープリンタ５１と白黒プリンタ５２にシートを直接送り込むこともできるようになっている。
【００１９】
図１、図２に示すサイドパネル１０３は、ペーパデッキ７３，７４から送り出されたシートをカラープリンタ５１と白黒プリンタ５２に送るようになっている。サイドパネル１０４は、カラープリンタ５１と白黒プリンタ５２から送り出されたシートを後処理装置７２に送るようになっている。
【００２０】
後処理装置７２は、サイドパネル１０４から送られてきたシートを直接、或いはシート束にして孔をあける処理、シート束を綴じる処理、シートやシート束を折り曲げる処理、シート束の側面に糊付けを行って結合する処理の少なくとも１つの処理をするようになっている。なお、後処理装置７２は、サイドパネル１０４を介さずにカラープリンタ５１と白黒プリンタ５２からシートを直接受け取ることもできるようになっている。
【００２１】
不図示の情報入出力装置には、大型のイメージスキャナーやドキュメントサーバ等がある。画像形成装置は、シートに画像を形成するようになっている。
【００２２】
（第１実施形態のエアー処理装置）
以下、本発明の第１実施形態のエアー処理装置を図１乃至図４に基づいて説明する。
【００２３】
図１は、画像形成システム８１の外観斜視図である。画像形成システム８１は、エアー処理装置１８０を有する基体ユニット１００に、ペーパデッキ７３，７４、カラープリンタ５１、高速の白黒プリンタ５２、及び後処理装置７２を接続して形成されている。図２は、基体ユニット１００の外観斜視図である。図３は、エアー処理装置１８０の外観斜視図である。図４は、図３のＡ−Ａ矢視断面図である。
【００２４】
基体ユニット１００は、エアー処理装置１８０に、天面パネル１０２とサイドパネル１０３，１０４と下面パネル１０５が接続されて形成されている。
【００２５】
天面パネル１０２は、画像形成システム８１を操作したり、操作情報を入力したり、画像形成システム８１の動作状態を表示したりする操作パネル１１３を備えている。
【００２６】
左右のサイドパネル１０３，１０４は、それぞれサイドパネル１０３，１０４の左側の事務機器から搬送されてくるシートを受け入れる複数の不図示の用紙搬入孔と、用紙搬入孔から搬入されたシートをサイドパネル１０３，１０４の右側の事務機器へ受け渡す複数の用紙搬出孔１１０とが形成されている。不図示の用紙搬入孔は、サイドパネル１０３，１０４の左側部に形成されている。下面パネル１０５は、ペーパデッキ７３，７４から後処理装置７２へシートを搬送する不図示の水平搬送パスを有している。
【００２７】
エアー処理装置１８０の筐体１７２には、カラープリンタ５１、白黒プリンタ５２、後処理装置７２、ペーパデッキ７３，７４、及び高速画像読取装置５３等が接続されている。エアー処理装置１８０は、エアー処理装置１８０に接続されている事務機器７３，７４，１０３，５１，５２，１０４，７２，５３，１０５とエアー処理装置１８０自体とを電気的に集中管理する制御手段としてのコントローラ１２０（図４参照）を有している。コントローラ１２０は基板１２１を介して筐体１７２に設けられている。なお、事務機器毎にコントローラを設けて、コントローラ１２０は、各事務機器のコントローラと信号の授受を行って、エアー処理装置１８０のみを管理するようにしてもよい。
【００２８】
また、図３、図４に示すエアー処理装置本体を構成する筐体１７２には、電気信号インターフェイス（以下、単に「インターフェイス」と言う）１０７ａ乃至１０７ｈ，１０７ｊ，１０７ｍが基板１２１（図４参照）を介して設けられている。また、筐体には、他の不図示の基板によってインターフェイス１０７ｋ（図４参照）が設けられている。インターフェイス１０７ａ乃至１０７ｈ，１０７ｊ，１０７ｋ，１０７ｍは、コントローラ１２０と各事務機器との電気信号の授受を行うとともに、各事務機器を不図示の電源に接続するようになっている。
【００２９】
筐体１７２の左側部１７２ａに設けられたインターフェイス１０７ａ，１０７ｂは、ペーパデッキ７３，７４に接続されるようになっている。なお、ペーパデッキ７３，７４は、筐体１７２の左側部１７２ａに接続されるようになっている。
【００３０】
筐体１７２の前面部１７２ｂに設けられたインターフェイス１０７ｃはサイドパネル１０３に接続され、インターフェイス１０７ｄ，１０７ｅはカラープリンタ５１に接続され、インターフェイス１０７ｆ，１０７ｇは白黒プリンタ５２に接続され、インターフェイス１０７ｈは下面パネル１０５に接続され、インターフェイス１０７ｊはサイドパネル１０４に接続されるようになっている。
【００３１】
筐体１７２の右側部１７２ｃに設けられたインターフェイス１０７ｋは、後処理装置７２に接続されるようになっている。筐体１７２の上部１７２ｄに設けられたインターフェイス１０７ｍは、画像読取装置５３に接続されるようになっている。
【００３２】
各インターフェイス１０７ａ乃至１０７ｈ，１０７ｊ，１０７ｋ，１０７ｍには、吸引接続検知手段としての接続検知センサ１０６ａ乃至１０６ｈ，１０６ｊ，１０６ｋ，１０６ｍが設けられている。これらの接続検知センサは、事務機器７３，７４，１０３，５１，５２，１０４，７２，５３，１０５が接続されているか否かを検知するようになっている。
【００３３】
筐体１７２は、筐体１７２に接続された各事務機器７３，７４，１０３，５１，５２，１０４，７２，５３，１０５内のエアーを吸引して排出する吸引手段としての排気ファン１７０（図４参照）を有している。筐体１７２には、吸引エアーインターフェイスとしての吸気可変開口１０８ａ乃至１０８ｇが設けられている。吸気可変開口１０８ａ乃至１０８ｇは、各事務機器７３，７４，１０３，５１，５２，１０４，７２，５３，１０５の排気口に接続されるようになっている。各事務機器７３，７４，１０３，５１，５２，１０４，７２，５３，１０５内のエアーは、排気ファン１７０の吸引によって、吸気可変開口１０８ａ乃至１０８ｇを通じて筐体１７２内に吸引されるようになっている。つまり、吸気可変開口１０８ａ乃至１０８ｇは各事務機器７３，７４，１０３，５１，５２，１０４，７２，５３，１０５内のエアーを筐体１７２内に受け入れ可能に各事務機器７３，７４，１０３，５１，５２，１０４，７２，５３，１０５と筐体１７２とを接続する。吸気可変開口１０８ａ乃至１０８ｇは開口量を調節できるようになっている。
【００３４】
筐体１７２の前面部１７２ｂに設けられた吸気可変開口１０８ａはサイドパネル１０３に接続され、吸気可変開口１０８ｂ，１０８ｃはカラープリンタ５１に接続され、吸気可変開口１０８ｄ，１０８ｅは白黒プリンタ５２に接続され、吸気可変開口１０８ｆはサイドパネル１０４に接続されるようになっている。筐体１７２の上部１７２ｄに設けられた吸気可変開口１０８ｇは画像読取装置５３に接続されるようになっている。なお、各吸気可変開口は、接続される事務機器の種類が上記の種類に限定されない。他の事務機器であっても接続されるようになっている。
【００３５】
各吸気可変開口１０８ａ乃至１０８ｇは、筐体１７２に形成されてエアーが通過する吸引口１０９ａ乃至１０９ｇと、吸引口１０９ａ乃至１０９ｇの開口量を調節する開閉扉１１１ａ乃至１１１ｇとを備えている。なお、開閉扉１１１ａ乃至１１１ｇは、各々不図示のパルスモータによって所望の開閉角度に開閉するようになっている。開閉扉１１１ａ乃至１１１ｇと不図示のパルスモータは、吸引開口量調節手段を構成している。また、本実施形態のエアー処理装置１８０における吸気可変開口１０８ａ乃至１０８ｇは、全部各事務機器７３，７４，１０３，５１，５２，１０４，７２，５３，１０５が接続されているが、事務機器が接続されていない吸気可変開口がある場合、その吸気可変開口は、開閉扉によって密閉されて、筐体の気密性を高めている。
【００３６】
各吸引口１０９ａ乃至１０９ｇの内側には、各吸引口１０９ａ乃至１０９ｇから吸引されたエアーの流速を検知する吸引流量検知手段としての風速センサ１１２が設けられている。また、筐体１７２の背部１７２ｅには、メンテナンス用の開閉扉１７３が開閉自在に設けられている。開閉扉１７３には、排気口１７１が形成されている。排気口１７１は、エアー処理手段としての塵埃を除去する集塵フィルタ１６５で覆われている。この集塵フィルタ１６５は、開閉扉１７３を開くと交換することができるようになっている。なお、集塵フィルタ１６５は排気口１７１に外部から着脱自在に装着されて、開閉扉１７３を開くことなく交換できるようになっていてもよい。また、集塵フィルタ１６５の代わりに、オゾン除去フィルタ、脱臭フィルタなどの、エアーを清浄にするフィルタを設けてもよい。集塵フィルタ１６５の内側には、筐体１７２の背部１７２ｅに設けられた排気ファン１７０が位置している。
【００３７】
排気口１７１、集塵フィルタ１６５、排気ファン１７０は、開閉扉１７３に設けられ、開閉扉１７３と一体に開閉されるようになっていてもよい。この場合、排気ファン１７０や、開閉扉１７３を開いた部分から筐体１７２内のメンテナンスを行うことができる。
【００３８】
エアー処理装置の動作を説明する。コントローラ１２０は、どのインターフェイス１０７ａ乃至１０７ｈ，１０７ｊ，１０７ｋ，１０７ｍに事務機器７３，７４，１０３，５１，５２，１０４，７２，５３，１０５が接続されているかを、接続検知センサ１０６ａ乃至１０６ｈ，１０６ｊ，１０６ｋ，１０６ｍの検知動作に基づいて判断する。そして、オペレータによって、図１に示す操作パネル１１３から、カラー、モノクロ、シートサイズ、シートの後処理、画像形成枚数などが指示されると、コントローラ１２０は、入力信号に応じて、接続検知センサによって筐体１７２に接続されていることが予め分かっている各事務機器７３，７４，５１，５２，５３を選択して作動させる。コントローラ１２０と、選択した各事務機器との間での制御に関する信号の授受は、選択された装置に接続されたインターフェイス１０７ａ乃至１０７ｈ，１０７ｊ，１０７ｋ，１０７ｍを通じて行われる。また、コントローラ１２０は、排気ファン１７０を作動させる。排気ファン１７０は、選択された各事務機器内のエアーを吸気可変開口１０８ａ乃至１０８ｇを介して吸引する。
【００３９】
なお、ペーパデッキ７３，７４内のエアーと、下面パネル１０５は、サイドパネル１０３を介して吸気可変開口１０８ａから吸引される。また、後処理装置７２内のエアーと、下面パネル１０５は、サイドパネル１０４を介して吸気可変開口１０８ｆから吸引される。なお、筐体１７２の左側部１７２ａに吸気可変開口を設け、ペーパデッキ７３、７４内のエアーを筐体１７２内に吸気可変開口を介して直接吸引するようにしてもよい。同様に筐体１７２の右側部１７２ｃ若しくは前面部１７２ｂの右側に吸気可変開口を設け、後処理装置７２内のエアーを筐体１７２内に吸気可変開口を介して直接吸引するようにしてもよい。
【００４０】
そして、コントローラ１２０は、風速センサ１１２によって検知されたエアーの風速と開閉扉１１１ａ乃至１１１ｇの開閉角度（吸引口１０９ａ乃至１０９ｇの開口量）との積によって、各事務機器から吸引しているエアー流量を算出して、不図示のパルスモータを制御し、開閉扉１１１ａ乃至１１１ｇの開閉角度を、最適な所定のエアー流量で吸引できる角度に自動的に調節する。
【００４１】
事務機器毎の最適なエアー流量（吸引エアー流量）は、コントローラ１２０に記憶されている。最適なエアー流量は、各事務機器に損傷や動作に支障を与えることなく、かつ、事務機器内のエアーを少しでも多く吸引して、エアーの清浄化を効率よく行える量である。すなわち、エアー流量が多過ぎると、事務機器内の配線を吸引して切断、ショートをさせたり、搬送中のシートを吸引してシートの位置をずらしたり、画像形成装置においては、トナーを吸引してトナー像を不鮮明にしたり、トナーが画像形成装置内に飛散して他の部分に付着し、メンテナンスが行いにくくなるなどの問題が生じる。これらの問題が生じないように、エアー流量を少なくすると、事務機器内のエアーの清浄化を効率よく行うことができないという別の問題が生じる。そこで、最適なエアー流量は、各事務機器に損傷や動作に支障を与えることなく、かつ、エアーの清浄化を効率よく行える量に設定されている。
【００４２】
開閉扉１１１ａ乃至１１１ｇの開閉角度は、パルスモータのパルス数によって検知される。なお、コントローラ１２０は、排気ファン１７０の回転速度も制御して、吸引エアー量を調節してもよい。
【００４３】
エアー処理装置１８０は、風速センサ１１２によって風速を常時検知しているので、連結されたどれかの事務機器７３，７４，１０３，５１，５２，１０４，７２，５３，１０５の排気抵抗が変わった場合でも、開閉扉１１１ａ乃至１１１ｇの開閉角度を調節することによって、各事務機器にとって最適なエアー流量でエアーの吸引を行うことができる。
【００４４】
また、接続される事務機器が別の機器となった場合、接続された機器に応じたエアー流量となるように上述の構成でエアー流量を調整する。いずれの機器が接続されたかを例えば天面パネル１０２から入力する。そして、その入力情報に基づいて吸引エアー調節手段を構成するコントローラ１２０や開閉扉１１１ａ乃至１１１ｇ（若しくは排気ファン１７０）によってエアーの流量を調節する。
【００４５】
このようにして、第１実施形態のエアー処理装置１８０は、筐体１７２に接続された各事務機器内のエアーを、吸気可変開口１０８ａ乃至１０８ｇを通じて筐体１７２内に吸引して、各事務機器内のエアーの浄化処理を１つの集塵フィルタ１６５で一括して行うようになっている。
【００４６】
このため、エアー処理装置１８０は、事務機器７３，７４，１０３，５１，５２，１０４，７２，５３，１０５によるオフィス内の空気の汚れを効率よく除去することができて、オフィス内の空気環境を快適にすることができる。特に、従来、事務機器１台当たりの排気エアーによるオフィス内の空気の汚れが僅かであっても、事務機器が複数台集まることによってオフィス内の空気が汚れていたのを、エアー処理装置２８０が、排気エアーを一括して浄化処理するので、エアーの浄化処理効率を高めて、オフィス内の空気環境を快適にすることができる。
【００４７】
しかも、エアー処理装置１８０は、各事務機器内のエアーを、各事務機にとって最適なエアー流量で吸引するようになっているので、各事務機器内を清浄な状態に常時保持することができて、各事務機器の作動を円滑に行えるようにすることができる。
【００４８】
また、ユーザが、従来、事務機器毎に行っていたフィルタのメンテナンスを、１つの集塵フィルタ１６５のメンテナンスを行えばよく、集塵フィルタ１６５の管理が容易になる。さらに、メンテナンスを容易、かつ速やかに行うことができる。
【００４９】
（第２実施形態のエアー処理装置）
以下、本発明の第２実施形態のエアー処理装置を図５乃至図７に基づいて説明する。
【００５０】
図５は、画像形成システム８２の外観斜視図である。画像形成システム８２は、本発明の第２実施形態のエアー処理装置２８０に、電子写真方式のカラープリンタ５１、高速の白黒プリンタ５２、及び置き台５４の上に配置された高速画像読取装置５３を接続して形成されている。図６は、本発明の第２実施形態におけるエアー処理装置２８０の外観斜視図である。図７は、図６のエアー処理装置２８０の概略正面断面図である。
【００５１】
第２実施形態のエアー処理装置２８０は、第１実施形態のエアー処理装置１８０と同様に、複数の事務機器内のエアーを一括して清浄にしてから排気するようになっている。
【００５２】
エアー処理装置２８０は、エアー処理装置２８０に接続されている事務機器５２，５１，５３とエアー処理装置２８０とを電気的に集中管理する制御手段としてのコントローラ２２０を筐体２７５内に有している。なお、事務機器５２，５１，５３毎にコントローラを設けて、コントローラ２２０は、各事務機器５２，５１，５３のコントローラと信号の授受を行って、エアー処理装置２８０のみを管理するようにしてもよい。また、コントローラ２２０と、各事務機器５２，５１，５３との間での電気信号の授受は、図示しないが、第１実施形態のエアー処理装置１８０と同様に、筐体２７５に設けた不図示の電気信号インターフェイスを通じて行われるようになっている。
【００５３】
エアー処理装置本体を構成する筐体２７５は、画像形成システム８２を操作したり、操作情報を入力したり、画像形成システム８２の動作状態を表示したりする操作パネル２１３を備えている。
【００５４】
筐体２７５は、筐体２７５に接続された各事務機器５２，５１，５３内のエアーを吸引して排出する吸引手段としての排気ファン２６４を有している。筐体２７５には、吸引エアーインターフェイスとしての吸気可変開口２５８ａ乃至２５８ｆが設けられている。吸気可変開口２５８ａ乃至２５８ｆは、各事務機器５２，５１，５３の排気口に接続されるようになっている。各事務機器５２，５１，５３内のエアーは、排気ファン２６４の吸引によって、吸気可変開口２５８ａ乃至２５８ｆを通じて筐体２７５内に吸引されるようになっている。吸気可変開口２５８ａ乃至２５８ｆは開口量を調節できるようになっている。
【００５５】
筐体２７５の右側部２７５ａに設けられた吸気可変開口２５８ａは連結ダクト２５６によって画像読取装置５３に接続され、吸気可変開口２５８ｃは連結ダクト２５５によってカラープリンタ５１に接続されている。吸気可変開口２５８ｂは何も接続されていない。筐体２７５の左側部２７５ｂに設けられた吸気可変開口２５８ｅは連結ダクト２５７によって白黒プリンタ５２が接続されるようになっている。吸気可変開口２５８ｄ，２５８ｆは何も接続されていない。なお、各吸気可変開口は、接続される事務機器５２，５１，５３の種類が上記の種類に限定されない。他の事務機器であっても接続されるようになっている。
【００５６】
各吸気可変開口２５８ａ乃至２５８ｆは、筐体２７５に形成されてエアーが通過する吸引口２４９ａ乃至２４９ｆと、吸引口２４９ａ乃至２４９ｆの開口量を調節する開閉扉２４８ａ乃至２４８ｆとを備えている。なお、開閉扉２４８ａ乃至２４８ｆは、各々不図示のパルスモータによって所望の開閉角度に開閉するようになっている。開閉扉２４８ａ乃至２４８ｆと不図示のパルスモータは、吸引開口量調節手段を構成している。
【００５７】
なお、本実施形態のエアー処理装置２８０における吸気可変開口２５８ａ，２５８ｃ，２５８ｅは、事務機器５２，５１，５３が接続されているが、事務機器５２，５１，５３が接続されていない吸気可変開口２５８ｂ，２５８ｄ，２５８ｆは、開閉扉２４８ｂ，２４８ｄ，２４８ｆによって密閉されている。このため、筐体２７５の気密性を高められて、外部から遮断されている。
【００５８】
内部ダクト２５９，２６０は、吸気可変開口２５８ａ乃至２５８ｆからのエアーを一括処理ダクト２６１に案内するようになっている。また、各吸引口２４９ａ乃至２４９ｆの内側には、吸引口２４９ａ乃至２４９ｆから吸引されたエアーの流速を検知する吸引流量検知手段としての風速センサ２６２ａ乃至２６２ｆが設けられている。内部ダクト２５９，２６０の合流部には、可変フィン２６３を設けてある。この可変フィン２６３は、不図示パルスモータによって回動角が調整されて、内部ダクト２５９，２６０の風量比を調整できるようになっている。
【００５９】
一括処理ダクト２６１内の可変フィン２６３の下流側には、エアー処理手段としての集塵フィルタ２６５、オゾン除去フィルタ２６６、脱臭フィルタ２６７、少し離れて排気ファン２６４が設けられている。筐体２７５には、開閉自在な開閉扉２６８（図５、図６参照）を設けてある。開閉扉２６８を開くと、筐体２７５内のフィルタ２６５，２６６，２６７、排気ファン２６４等のメンテナンスを行えるようになっている。なお、フィルタは、必ずしも全部設ける必要がない。少なくとも、１つ設けてあればよい。また、フィルタの代わりに、エアーの温度を下げる熱交換器、冷却装置等の熱処理装置を備えてもよい。一括処理ダクト２６１が筐体２７５に接続されている部分には、防塵カバー２６９を有する排気口２７０が形成されている。
【００６０】
なお、本実施形態のエアー処理装置２８０は、第１実施形態のエアー処理装置１８０と同様に、吸気可変開口２５８ａ乃至２５８ｆに事務機器５２，５１，５３が接続されているか否かを検知する接続検知センサを吸気可変開口２５８ａ乃至２５８ｆに設けてもよい。
【００６１】
エアー処理装置２８０の動作を説明する。オペレータによって、操作パネル２１３から、カラー、モノクロ、シートサイズ、シートの後処理、画像形成枚数などが指示されると、コントローラ２２０は、入力信号に応じて、各事務機器５２，５１，５３を作動させる。コントローラ２２０と、各事務機器５２，５１，５３との間での制御に関する信号の授受は、不図示の電気信号インターフェイスを通じに行われる。また、コントローラ２２０は、排気ファン１７０を作動させる。排気ファン２６４は、各事務機器５２，５１，５３内のエアーを吸気可変開口２５８ａ，２５８ｃ，２５８ｅを介して吸引する。
【００６２】
そして、コントローラ２２０は、風速センサ２６２ａ，２６２ｃ，２６２ｅによって検知されたエアーの風速と開閉扉２４８ａ，２４８ｃ，２４８ｅの開閉角度（吸引口２４９ａ，２４９ｃ，２４９ｅの開口量）との積によって、各事務機器から吸引しているエアー流量を算出して、不図示のパルスモータを制御し、開閉扉２４８ａ，２４８ｃ，２４８ｅの開閉角度と、可変フィン２６３の回転角を最適なエアー流量で吸引できる角度に自動的に調節する。開閉扉２４８ａ，２４８ｃ，２４８ｅの開閉角度は、パルスモータのパルス数によって検知される。
【００６３】
エアー処理装置２８０は、風速センサ２６２ａ，２６２ｃ，２６２ｅによって風速を常時検知しているので、連結されたどれかの事務機器５２，５１，５３の排気抵抗が変わった場合でも、開閉扉２４８ａ，２４８ｃ，２４８ｅの開閉角度を調節することによって、各事務機器にとって最適なエアー流量でエアーの吸引を行うことができる。
【００６４】
このようにして、第２実施形態のエアー処理装置２８０は、各事務機器５２，５１，５３内のエアーを、吸引して、上記各種フィルタ２６５，２６６，２６７により一括して浄化処理をして、塵埃、オゾン、臭い（特に電子臭い）等の少ない快適なエアーとして排気口２７０より排出するようになっている。
【００６５】
このため、第２実施形態のエアー処理装置２８０も、第１実施形態のエアー処理装置１８０と同様に次の効果を奏する。
【００６６】
事務機器によるオフィス内の空気の汚れを効率よく除去することができて、オフィス内の空気環境を快適にすることができる。エアーの浄化処理効率を高めて、オフィス内の空気環境を快適にすることができる。
【００６７】
各事務機器内を清浄な状態に常時保持することができて、各事務機器の作動を円滑に行えるようにすることができる。
【００６８】
また、第２実施形態のエアー処理装置２８０は、各種フィルタ２６５，２６６，２６７のメンテナンスを、開閉扉２６８を開けて一括して行うことができるようになっているので、メンテナンスを容易、かつ速やかに行えるようになっている。
【００６９】
なお、本第２実施形態では事務機として、筐体にカラープリンタ５１と白黒プリンタ５２と、画像読取装置５３とを接続した形態を例示した。しかし、ペーパデッキ、記録紙搬送装置後処理装置、信号入力装置などが選択的に筐体２７５に接続可能である。
【００７０】
（第３実施形態のエアー処理装置）
以下、本発明の第３実施形態のエアー処理装置を図８、図９に基づいて説明する。
【００７１】
図８は、画像形成システム８３の外観斜視図である。画像形成システム８３は、本発明の第３実施形態のエアー処理装置３８０に、電子写真方式のカラープリンタ５１、置き台５４の上に配置された画像読取装置５３を接続して形成されている。図９は、図８の正面概略断面図である。
【００７２】
第３実施形態のエアー処理装置３８０は、複数の事務機器内のエアーを一括して清浄処理、放熱処理してから、再度、事務機器内に送り込んで、エアーを循環使用するようになっている。
【００７３】
エアー処理装置３８０は、エアー処理装置３８０に接続された事務機器５１，５３内のエアーを吸引して清浄にする吸気部３８１と、吸気部３８１で清浄にされたエアーを放熱処理してエアーの温度を下げる熱交換ダクト３９５と、熱交換ダクト３９５で温度を下げられたエアーを事務機器５１，５３内に供給する送風部３８２とで構成されている。
【００７４】
エアー処理装置３８０は、エアー処理装置３８０に接続されている事務機器５１，５３とエアー処理装置３８０とを電気的に集中管理する制御手段としてのコントローラ３２０を筐体３７５内に有している。エアー処理装置３８０の装置本体を構成する筐体３７５は、吸気部３８１の筐体３７１、熱交換ダクト３９５、送風部３８２の筐体３７２を接続して形成されている。なお、事務機器５１，５３毎にコントローラを設けて、コントローラ３２０は、各事務機器５１，５３のコントローラと信号の授受を行って、エアー処理装置３８０のみを管理するようにしてもよい。
【００７５】
また、コントローラ３２０と、各事務機器５１，５３との間での電気信号の授受は、図示しないが、第１実施形態のエアー処理装置１８０と同様に、筐体３７５に設けた不図示の電気信号インターフェイスを通じて行われるようになっている。
【００７６】
熱交換ダクト３９５は、不図示の断熱材を介して天板部３８３に操作パネル３１３を備えている。操作パネル３１３は、オペレータが画像形成システム８３を操作したり、操作情報を入力したりする部分である。また、操作パネル３１３は、画像形成システム８３の動作状態を表示する部分でもある。
【００７７】
筐体３７１は、吸引手段としての排気ファン３６４を有している。排気ファン３６４は、筐体３７１に接続された各事務機器５１，５３内のエアーを吸引して、そのエアーを、熱交換ダクト３９５を介して送風部３８２に送るようになっている。筐体３７１の右側部３７１ａには、吸引エアーインターフェイスとしての吸気可変開口３８４ａ，３８４ｂ，３８４ｃが設けられている。吸気可変開口３８４ａ，３８４ｃは、連結ダクト３８６，３８７を介して画像読取装置５３とカラープリンタ５１排気口に接続されている。吸気可変開口３８４ｂは何も接続されていない。なお、各吸気可変開口３８４ａ，３８４ｂ，３８４ｃは、接続される事務機器の種類が上記の種類に限定されない。他の事務機器であっても接続されるようになっている。
【００７８】
各事務機器５１，５３内のエアーは、排気ファン３６４の吸引によって、吸気可変開口３８４ａ，３８４ｃを通じて筐体３７１内に吸引されるようになっている。吸気可変開口３８４ａ，３８４ｃは開口量を調節できるようになっている。
【００７９】
各吸気可変開口３８４ａ，３８４ｂ，３８４ｃは、筐体３７１に形成されてエアーが通過する吸引口３９６ａ，３９６ｂ，３９６ｃと、吸引口３９６ａ，３９６ｂ，３９６ｃの開口量を調節する開閉扉３９８ａ，３９８ｂ，３９８ｃとを備えている。なお、開閉扉３９８ａ，３９８ｂ，３９８ｃは、各々不図示のパルスモータによって所望の開閉角度に開閉するようになっている。開閉扉３９８ａ，３９８ｂ，３９８ｃと不図示のパルスモータは、吸引開口量調節手段を構成している。
【００８０】
なお、本実施形態のエアー処理装置３８０における吸気可変開口３８４ａ，３８４ｃは、事務機器５３，５１が接続されているが、事務機器５３，５１が接続されていない吸気可変開口３８４ｂは、開閉扉３９８ｂによって密閉されている。このため、筐体２７１，３７５の気密性を高められて、外部から遮断されている。
【００８１】
各吸引口３９６ａ，３９６ｂ，３９６ｃの内側には、吸引されたエアーの流速を検知する吸引流量検知手段としての風速センサ３９３ａ，３９３ｂ，３９３ｃが設けられている。
【００８２】
一括処理ダクト３９０は、吸引口３９６ａ，３９６ｂ，３９６ｃからのエアーを案内するようになっている。一括処理ダクト３９０内には、上流側から下流側へ順に、エアー処理手段としての集塵フィルタ３６５、オゾン除去フィルタ３６６、脱臭フィルタ３６７、少し離れて排気ファン３６４が設けられている。筐体３７１には、開閉自在な開閉扉３６８（図８参照）を設けてある。開閉扉３６８を開くと、筐体３７５内のフィルタ３６５，３６６，３６７、排気ファン３６４等のメンテナンスを行えるようになっている。なお、フィルタは、必ずしも全部設ける必要がない。少なくとも、１つ設けてあればよい。
【００８３】
熱交換ダクト３９５は、吸気部３８１の一括処理ダクト３９０から、送風部３８２の送風ダクト３９１へエアーを案内するようになっている。熱交換ダクト３９５は、放熱板としての天板部３８３によって覆われている。天板部３８３には、熱伝導性の良い金属材が使用されている。天板部３８３は、広い面積を有して、吸気部３８１の一括処理ダクト３９０から送られてきた清浄なエアーの熱を、熱交換ダクト３９５を通過する間に発散するようになっている。この温度を下げられたエアーは、送風部３８２の送風ダクト３９１に送られるため、各事務機器５３，５１の冷却風として利用される。
【００８４】
送風部３８２の送風ダクト３９１内には、供給手段としての送風ファン３９２を設けてある。送風ファン３９２は、熱交換ダクト３９５から送られてきた冷却エアーを事務機器５３，５１に最適なエアー流量で供給するようになっている。
【００８５】
送風部３８２の筐体３７２の左側部３７２ａには、供給エアーインターフェイスとしての送風可変開口３８５ａ，３８５ｂ，３８５ｃが設けられている。送風可変開口３８５ａは連結ダクト３８９によって画像読取装置５３の流入口に接続され、送風可変開口３８５ｃは連結ダクト３８８によってカラープリンタ５１の流入口に接続されている。送風可変開口３８５ｂは何も接続されていない。筐体３７２内のエアーは、送風ファン３９２によって、送風可変開口３８５ａ，３８５ｃを通じて、各事務機器５１，５３内へ供給されるようになっている。
【００８６】
なお、各送風可変開口３８５ａ，３８５ｂ，３８５ｃは、接続される事務機器の種類が上記の種類に限定されない。他の事務機器であっても接続されるようになっている。
【００８７】
送風可変開口３８５ａ，３８５ｂ，３８５ｃは開口量を調節できるようになっている。各送風可変開口３８５ａ，３８５ｂ，３８５ｃは、筐体３７２に形成されてエアーが通過する供給口としての送風口３９７ａ，３９７ｂ，３９７ｃと、送風口３９７ａ，３９７ｂ，３９７ｃの開口量を調節する開閉扉３９９ａ，３９９ｂ，３９９ｃとを備えている。なお、開閉扉３９９ａ，３９９ｂ，３９９ｃは、各々不図示のパルスモータによって所望の開閉角度に開閉するようになっている。開閉扉３９９ａ，３９９ｂ，３９９ｃと不図示のパルスモータは、供給開口量調節手段を構成している。
【００８８】
なお、本実施形態のエアー処理装置３８０における送風可変開口３８５ａ，３８５ｃは、事務機器５３，５１が接続されているが、事務機器５３，５１が接続されていない送風可変開口３８５ｂは、開閉扉３９９ｂによって密閉されている。このため、筐体３７２，３７５の気密性を高められて、外部から遮断されている。
【００８９】
各送風口３９７ａ，３９７ｂ，３９７ｃの外側には、送風可変開口３８５ａ，３８５ｂ，３８５ｃから吸引されるエアーの流速を検知する供給流量検知手段としての風速センサ３９４ａ，３９４ｂ、３９４ｃが設けられている。
【００９０】
なお、本実施形態のエアー処理装置３８０は、第１実施形態のエアー処理装置１８０と同様に、吸気可変開口３８４ａ，３８４ｂ，３８４ｃ、送風可変開口３８５ａ，３８５ｂ，３８５ｃに事務機器５３，５１が接続されているか否かを検知する吸引接続検知手段および供給接続検知手段としての接続検知センサを吸気可変開口３８４ａ，３８４ｂ，３８４ｃ、送風可変開口３８５ａ，３８５ｂ，３８５ｃに設けてもよい。
【００９１】
エアー処理装置３８０の動作を説明する。オペレータによって、操作パネル３１３から、カラー、シートサイズ、画像形成枚数などが指示されると、コントローラ３２０は、入力信号に応じて、各事務機器５３，５１を作動させる。コントローラ３２０と、各事務機器５３，５１との間での制御に関する信号の授受は、不図示の電気的信号インターフェイスを通じに行われる。また、コントローラ３２０は、排気ファン３６４、送風ファン３９２を作動させる。排気ファン３６４は、各事務機器５３，５１内のエアーを吸気可変開口３８４ａ，３８４ｃを介して吸引する。送風ファン３９２は、熱交換ダクト３９５を介して、吸気部３８１から送られてくるエアーを送風可変開口３８５ａ、３８５ｃを介して各事務機器５３，５１内に供給する。
【００９２】
そして、コントローラ３２０は、風速センサ３９３ａ，３９３ｃによって検知されたエアーの風速と開閉扉３９８ａ，３９８ｃの開閉角度（送風口３９７ａ，３９７ｃの開口量）との積によって、吸引するエアー量を算出して、不図示のパルスモータを制御し、開閉扉３９８ａ，３９８ｃの開閉角度を調節する。また、コントローラ３２０は、風速センサ３９４ａ，３９４ｃによって検知されたエアーの風速と開閉扉３９９ａ，３９９ｃの開閉角度（送風口３９７ａ，３９７ｃの開口量）との積によって、供給するエアー量を算出して、不図示のパルスモータを制御し、開閉扉３９９ａ，３９９ｃの開閉角度を調節する。開閉扉３９８ａ，３９８ｃ，３９９ａ，３９９ｃの開閉角度は、パルスモータのパルス数によって検知される。なお、コントローラ３２０は、排気ファン３６４と、送風ファン３９２との回転速度を制御して、吸引エアー流量、供給エアー流量を調節してもよい。
【００９３】
事務機器毎の最適な供給エアー流量は、コントローラ１２０に記憶されている。最適な供給エアー流量は、各事務機器に損傷や動作に支障を与えることなく、かつ、事務機器内のエアーの清浄化を効率よく行える量である。すなわち、供給エアー流量が多過ぎると、事務機器内の配線を吹き飛ばして切断、ショートをさせたり、搬送中のシートを浮き上がらせたり、画像形成装置においては、トナーを飛散させてトナー像を不鮮明にしたり、飛散したトナーが画像形成装置内の他の部分に付着し、メンテナンスが行いにくくなるなどの問題が生じる。これらの問題が生じないように、供給エアー流量を少なくすると、事務機器内のエアーの清浄化を効率よく行うことができないという別の問題が生じる。そこで、最適な供給エアー流量は、各事務機器に損傷や動作に支障を与えることなく、かつ、エアーの清浄化を効率よく行える量に設定されている。
【００９４】
このように、コントローラ３２０が、開閉扉３９８ａ，３９８ｃの開閉角度を、事務機器毎に記憶している吸引エアー流量になるように調節し、開閉扉３９９ａ，３９９ｃの開閉角度も事務機器毎に記憶している供給エアー流量になるように調節するので、エアー処理装置３８０は、各事務機器５３，５１内のエアーを速やかに、かつ効率よく循環させることができる。つまり、接続される事務機器が別の機器となった場合、接続された事務機器に応じたエアー流量となるように上述の構成でエアー流量を調整する。いずれの機器が接続されたかを例えば操作パネル３１３から入力する。その入力情報に基づいて吸引エアー調節手段を構成するコントローラ３２０や開閉扉３９８ａ（若しくは排気ファン３６４）によってエアーの流量を調節する。また、その入力情報に基づいて供給エアー調節手段を構成するコントローラ３２０や開閉扉３９９ａ（若しくは送風ファン３９２）によってエアーの流量を調節する。
【００９５】
なお、風速が、風速センサ３９３ａ，３９３ｃ，３９４ａ，３９４ｃによって常時検知されているので、エアー処理装置３８０は、連結されたどれかの事務機器５３，５１の排気抵抗や、供給抵抗が変わった場合でも常に風量を検知してエアーの最適な吸引や、供給を行うことができる。
【００９６】
このようにして、第３実施形態のエアー処理装置３８０は、各事務機器内のエアーを各種フィルタによって、塵埃、オゾン、臭い（特に電子臭い）等を少なくする清浄処理し、さらに、放熱処理して、再度、事務機器内に送り込んで、エアーを循環使用するようになっている。
【００９７】
このため、第３実施形態のエアー処理装置３８０は、各事務機器から発生する塵埃、オゾン、臭い、事務機器やファンの動作音が外部に漏れるのを防止することができる。仮に、エアーが漏れたとしても、エアーは、清浄処理、放熱処理をしてあるので、外部に悪影響を与えることが殆どない。この結果、オフィス内の空気環境は、快適になる。
【００９８】
さらに、第３実施形態のエアー処理装置３８０も、第１実施形態のエアー処理装置１８０と同様に、各事務機器内を清浄な状態に常時保持することができて、各事務機器の作動を円滑に行えるようにすることができる。
【００９９】
また、第３実施形態のエアー処理装置３８０は、第２実施形態のエアー処理装置２８０と同様に、各種フィルタ３６５，３６６，３６７のメンテナンスを、開閉扉３６８を開けて一括して行うことができるようになっているので、メンテナンスを容易、かつ速やかに行えるようになっている。
【０１００】
なお、以上の各エアー処理装置１８０，２８０，３８０は、各事務機器と電気的インターフェイスによって接続されているが、インターフェイスを使用することなく、電気配線によって、直接電気的に接続してもよい。
【０１０１】
なお、本第３実施形態では事務機として、エアー処理装置３８０にカラープリンタ５１と画像読取装置５３を接続した形態を例示した。しかし、ペーパデッキ、記録紙搬送装置後処理装置、信号入力装置、別途のプリンタなどが選択的にエアー処理装置３８０に接続可能である。
【図面の簡単な説明】
【０１０２】
【図１】本発明の第１実施形態のエアー処理装置を有する基体ユニットに、ペーパデッキ、カラープリンタ、白黒プリンタ、及び後処理装置を接続して形成された画像形成システムの外観斜視図である。
【図２】第１実施形態のエアー処理装置を有する基体ユニットの外観斜視図である。
【図３】第１実施形態のエアー処理装置の外観斜視図である。
【図４】図３のＡ−Ａ矢視断面図である。
【図５】本発明の第２実施形態のエアー処理装置に、カラープリンタ、白黒プリンタ、及び置き台の上に配置された画像読取装置を接続して形成された画像形成システムの外観斜視図である。
【図６】本発明の第２実施形態におけるエアー処理装置の外観斜視図である。
【図７】図６のエアー処理装置の概略正面断面図である。
【図８】本発明の第３実施形態のエアー処理装置に、電子写真方式のカラープリンタ、置き台の上に配置された画像読取装置を接続して形成した画像形成システムの外観斜視図である。
【図９】図８の正面概略断面図である。
【図１０】オゾンを処理するオゾンフィルタを備えた従来の画像形成装置の概略正面断面図である。
【図１１】集塵用コロナ帯電器とフィルタを備えた従来の画像形成装置の概略正面断面図である。
【符号の説明】
【０１０３】
５１      電子写真方式のカラープリンタ（画像形成装置）
５２      白黒プリンタ（画像形成装置）
５３      高速の画像読取装置
７２      後処理装置（シート処理装置）
７３      ペーパデッキ（記録紙給送装置、第１の記録紙給送装置）
７４      ペーパデッキ（記録紙給送装置、第２の記録紙給送装置）
８１，８２，８３    画像形成システム
１００      基体ユニット
１０３      サイドパネル（記録紙搬送装置）
１０４      サイドパネル（記録紙搬送装置）
１０６ａ乃至１０６ｈ，１０６ｊ，１０６ｋ  接続検知センサ（吸引接続検知手段）
１０７ａ乃至１０７ｈ，１０７ｊ，１０７ｋ，１０７ｍ  インターフェイス（電気信号インターフェイス）
１０８ａ乃至１０８ｇ      吸気可変開口（吸引エアーインターフェイス）
１０９ａ乃至１０９ｇ      吸引口
１１１ａ乃至１１１ｇ      開閉扉（吸引開口量調節手段）
１１２      風速センサ（吸引流量検知手段）
１２０      コントローラ（制御手段）
１６５      集塵フィルタ（エアー処理手段）
１７０      排気ファン（吸引手段）
１７１      排気口
１７２      筐体（エアー処理装置本体）
１７３      開閉扉
１８０      エアー処理装置
２２０      コントローラ（制御手段）
２４８ａ乃至２４８ｆ      開閉扉（吸引開口量調節手段）
２４９ａ乃至２４９ｆ      吸引口
２５８ａ乃至２５８ｆ  吸気可変開口（吸引エアーインターフェイス）
２６１      一括処理ダクト
２６２ａ乃至２６２ｆ  風速センサ（吸引流量検知手段）
２６３      可変フィン
２６４      排気ファン（吸引手段）
２６５      集塵フィルタ（エアー処理手段）
２６６      オゾン除去フィルタ（エアー処理手段）
２６７      脱臭フィルタ（エアー処理手段）
２６８      開閉扉
２７５      筐体（エアー処理装置本体）
２８０      エアー処理装置
３１３      操作パネル
３２０      コントローラ（制御手段）
３６４      排気ファン（吸引手段）
３６５      集塵フィルタ（エアー処理手段）
３６６      オゾン除去フィルタ（エアー処理手段）
３６７      脱臭フィルタ（エアー処理手段）
３６８      開閉扉
３７５      筐体（エアー処理装置本体）
３７１      吸気部の筐体
３７２      送風部の筐体
３８０      エアー処理装置
３８３      天板部
３８４ａ，３８４ｂ，３８４ｃ  吸気可変開口（吸引エアーインターフェイス）
３８５ａ，３８５ｂ，３８５ｃ  送風可変開口（供給エアーインターフェイス）
３９０      一括処理ダクト
３９２      送風ファン（供給手段）
３９３ａ，３９３ｂ，３９３ｃ      風速センサ（吸引流量検知手段）
３９４ａ，３９４ｂ，３９４ｃ      風速センサ（供給流量検知手段）
３９５      熱交換ダクト
３９６ａ，３９６ｂ，３９６ｃ  吸引口
３９７ａ，３９７ｂ，３９７ｃ  送風口（供給口）
３９８ａ，３９８ｂ，３９８ｃ      開閉扉（吸引開口量調節手段）
３９９ａ，３９９ｂ，３９９ｃ      開閉扉（供給開口量調節手段）
【図１】
0004636955.tif 000002
【図２】
0004636955.tif 000003
【図３】
0004636955.tif 000004
【図４】
0004636955.tif 000005
【図５】
0004636955.tif 000006
【図６】
0004636955.tif 000007
【図７】
0004636955.tif 000008
【図８】
0004636955.tif 000009
【図９】
0004636955.tif 000010
【図１０】
0004636955.tif 000011
【図１１】
0004636955.tif 000012